(57)【特許請求の範囲】
【請求項１】
長尺の現像済みスチル写真フイルムの給送方向と直交する方向に光電変換素子が配列されたラインセンサを設け、
予め前記フイルムを連続給送することにより前記ラインセンサを介して全コマの画像データをそれぞれ取り込み、
前記取り込んだ全コマの画像データに基づいて複数コマのインデックス画像を示す画像信号をモニタに出力することによりインデックス画像をモニタに表示し、
前記モニタに表示されたインデックス画像を見ながら各コマの画像の縦横比に対応するフォーマット、プリント枚数、及びタイトルのうちの少なくとも１つを含む設定を行うとともに、その設定を示す設定データを記憶し、
その後、所望のコマの画像データに基づく１コマの再生時に当該コマの設定データに対応して処理した画像信号をモニタに出力することを特徴とするフイルム画像入力方法。
【請求項２】
前記設定データは、前記フイルムに写し込まれた画像の天地方向を示すデータ及び表示／非表示コマを示すデータのいずれか一方を含む請求項１のフイルム画像入力方法。
【請求項３】
前記設定データは、ズーム、トリミング、色補正データ、コマ毎の切り替わりデータのうちの少なくとも１つを示すデータを含む請求項２のフイルム画像入力方法。
【請求項４】
前記フイルムには磁気記録層が形成され、前記磁気記録層に前記各コマ毎の設定データを磁気記録することを特徴とする請求項１、２又は３のフイルム画像入力方法。
【請求項５】
前記フイルムは単一のスプールを有するフイルムカートリッジに収納され、前記フイルムカートリッジから前記フイルムを巻取軸で巻き取るときに前記全コマの画像データとともに、前記全コマの磁気記録層に記録されたデータをそれぞれ読み取り、前記巻取軸に巻き取られたフイルムをカートリッジ本体内に巻き戻すときに、前記各コマ毎の設定データを前記磁気記録層に記録することを特徴とする請求項１、２又は３のフイルム画像入力方法。
【請求項６】
長尺の現像済みスチル写真フイルムの給送方向と直交する方向に光電変換素子が配列されたラインセンサを設け、
前記フイルムを連続給送することにより該フイルム上から全コマのコマ番号を、前記フイルムの各コマに予め光学的に記録されているコマ番号を示すデータを読み取ることにより取り込むとともに、前記ラインセンサを介して全コマの画像データをそれぞれ取り込み、
前記取り込んだ各コマのコマ番号及び各コマの画像データに基づいてコマ番号がスーパーインポーズされた複数コマのインデックス画像を示す画像信号を生成し、
前記画像信号をモニタに出力することによってコマ番号がスーパーインポーズされた複数コマのインデックス画像をモニタに表示することを特徴とするフイルム画像入力方法。
【請求項７】
長尺の現像済みスチル写真フイルムの給送方向と直交する方向に光電変換素子が配列されたラインセンサを設け、
前記フイルムを連続給送することにより該フイルム上から全コマのコマ番号を、前記フイルムの各コマをカウントすることにより取り込むとともに、前記ラインセンサを介して全コマの画像データをそれぞれ取り込み、
前記取り込んだ各コマのコマ番号及び各コマの画像データに基づいてコマ番号がスーパーインポーズされた複数コマのインデックス画像を示す画像信号を生成し、
前記画像信号をモニタに出力することによってコマ番号がスーパーインポーズされた複数コマのインデックス画像をモニタに表示することを特徴とするフイルム画像入力方法。
【請求項８】
長尺の現像済みスチル写真フイルムの画像をモニタに表示させるフイルム画像入力装置であって、
前記フイルムを照明する照明手段と、
前記フイルムの給送方向と直交する方向に光電変換素子が配列されたラインセンサと、
前記照明手段によって照明された前記フイルムの画像を前記ラインセンサに結像させる撮影レンズと、
前記フイルムの給送を行うフイルム給送手段と、
前記ラインセンサを介して入力する画像データを記憶する画像メモリと、
前記フイルムの各コマの画像の縦横比に対応するフォーマット、プリント枚数、及びタイトルのうちの少なくとも１つを含む設定を行うキー操作部と、
前記キー操作部からの信号を入力するとともに前記ラインセンサ、フイルム給送手段及び画像メモリを制御する制御手段と、を備え、
前記制御手段は、インデックス画像作成時に前記フイルムを連続給送して前記ラインセンサを介して全コマの画像データを前記画像メモリに記憶させ、該画像メモリに記憶された全コマの画像データを処理してインデックス画像を示す画像信号をモニタに出力させ、前記キー操作部は前記モニタに表示されたインデックス画像を見ながら操作されることを特徴とするフイルム画像入力装置。
【請求項９】
前記フイルムには磁気記録層が形成され、前記制御手段は、前記キー操作部によって設定された各コマ毎の設定データを前記磁気記録再生手段を介して前記磁気記録層に記録することを特徴とする請求項８のフイルム画像入力装置。
【請求項１０】
前記フイルムの連続給送中に該フイルムの各コマのコマ番号を取り込むコマ番号検出手段を有し、前記制御手段は、前記取り込んだ各コマのコマ番号に基づいて前記複数コマのインデックス画像にコマ番号をスーパーインポーズさせるようにしたことを特徴とする請求項８のフイルム画像入力装置。
【請求項１１】
前記コマ番号検出手段は、前記フイルムの各コマに予め光学的又は磁気的に記録されているコマ番号を示すデータを読み取る読取手段である請求項１０のフイルム画像入力装置。
【発明の詳細な説明】
【０００１】
【発明の属する技術分野】
本発明はフイルム画像入力方法及び装置に係り、特に現像済みスチル写真フイルムの画像を撮影レンズを介してイメージセンサに結像させ、該イメージセンサによって光電変換された画像信号をモニタＴＶに出力することによってフイルム画像をモニタＴＶの画面に再生させるフイルム画像入力方法及び装置に関する。
【０００２】
【従来の技術】
従来、現像済みスチル写真フイルムをＣＣＤ等のイメージセンサで撮像し、写真フイルムの画像を画像信号に変換し、これをモニタＴＶに出力してフイルム画像を表示するフイルム画像入力装置は、ＷＯ90/04301、特開平5-75922 号公報、特開平5-56345 号公報、特開平5-22656 号公報等において公知である。
【０００３】
ＷＯ90/04301には、磁気記録トラックを有する写真フイルムを使用したカメラ及びフイルム画像入力装置が開示されており、特開平5-75922 号公報には、現像済みスチル写真フイルムが単一のスプールに巻回されているフイルムカートリッジを使用したフイルム画像入力装置等が開示されている。
【０００４】
また、特開平5-22656 号公報には、マルチ画面（以下、インデックス画像という）の作成が指示されると、現像済みスチル写真フイルムを１コマずつ巻き取り又は巻き戻し、イメージセンサを介して各コマの画像データを取り込み、各コマの画像データを圧縮して１画面分の画像メモリに記憶させ、この画像メモリに記憶された画像データに基づいてインデックス画像をモニタＴＶに表示するフイルム画像入力装置が開示されている。
【０００５】
また、上記従来のフイルム画像入力装置には、フイルムの１コマ内から必要な範囲の画像のみを取り出して拡大するため（トリミングのため）のズームレンズやスキャン機構、フイルム画像の縦横を切り替えるためのイメージセンサ回転機構等を備えているものもある。
【０００６】
更に、従来のフイルム画像入力装置において、モニタＴＶに表示される表示画像に対する編集作業を行う場合（例えば、画像の天地方向の切替え（縦横変換）、画像の縦横比に対応するハイビジョン、パノラマ、通常等のフォーマット指定、フイルムの全コマを順次表示する際の表示／非表示コマの指定等を行う場合）には、１コマ分の画像をモニタＴＶに表示し、その画像を見ながら行うようにしていた。
【０００７】
【発明が解決しようとする課題】
ところで、上記従来のフイルム画像入力装置は、いずれもイメージセンサとして２次元のイメージセンサを使用しているため、撮影条件によって異なる各コマの明るさや白バランス等をリアルタイムに補正した画像データを得ることができるという利点があるが、２次元のイメージセンサは１次元のイメージセンサ（ラインセンサ）に比べて高価であるという問題がある。
【０００８】
一方、ラインセンサを使用して連続給送される写真フイルムの１コマ分の画像データを取り込み、その画像データに基づいて静止画をモニタＴＶに表示させる場合には、２次元のイメージセンサのようにリアルタイムに画像データを得ることができないため、１コマ分の画像データを１度だけを取り込んでも各コマの明るさや白バランス等が補正された良好な画像データを得ることができないという問題がある。
【０００９】
また、上記従来のフイルム画像入力装置では、モニタＴＶに表示される表示画像に対する編集作業を行う場合には、１コマ分の画像をモニタＴＶに表示し、その画像を見ながら行うようにしているため、フイルムに写し込まれている全コマに対するストーリ編集を行う編集作業がやりずらく、複数コマがモニタＴＶに同時に表示されていないため、編集作業の効率も悪いという問題がある。
【００１０】
一方、特開平5-22656 号公報には、前述したようにインデックス画像を作成し、これを表示する記載があるが、このインデックス画像はモニタＴＶに表示するための所望のコマを選択するために使用されるもので、編集作業に使用されるものではない。
【００１１】
尚、上記インデックス画像を編集作業に使用することも可能であるが、従来のフイルム画像入力装置は、２次元のイメージセンサを使用しているため、上記インデックス画像を作成するためには、フイルムを１コマずつ巻き取り又は巻き戻し、フイルムが静止している状態でイメージセンサを介して各コマの画像データを取り込む必要があり、１本のフイルムの全コマの画像データを取り込むには多くの時間が必要となる。
【００１２】
本発明はこのような事情に鑑みてなされたもので、イメージセンサとしてラインセンサを使用することによりコストの低減を図るとともに、ラインセンサを使用した場合に生じる各コマの撮影条件に応じた画像データの補正も迅速に行うことができるフイルム画像入力方法及び装置を提供することを目的とする。
【００１３】
また、本発明はインデックス画像を短時間で作成することができ、そのインデックス画像を見ながら一連の画像に対する編集作業を容易に行うことができるフイルム画像入力方法及び装置を提供することを目的とする。
【００１４】
【課題を解決するための手段】
前記目的を達成するために請求項１に係るフイルム画像入力方法は、長尺の現像済みスチル写真フイルムの給送方向と直交する方向に光電変換素子が配列されたラインセンサを設け、予め前記フイルムを連続給送することにより前記ラインセンサを介して全コマの画像データをそれぞれ取り込み、前記取り込んだ全コマの画像データに基づいて複数コマのインデックス画像を示す画像信号をモニタに出力することによりインデックス画像をモニタに表示し、前記モニタに表示されたインデックス画像を見ながら各コマの画像の縦横比に対応するフォーマット、プリント枚数、及びタイトルのうちの少なくとも１つを含む設定を行うとともに、その設定を示す設定データを記憶し、その後、所望のコマの画像データに基づく１コマの再生時に当該コマの設定データに対応して処理した画像信号をモニタに出力することを特徴としている。
【００１５】
前記設定データは、請求項２に示すように前記フイルムに写し込まれた画像の天地方向を示すデータ及び表示／非表示コマを示すデータのいずれか一方を含むことを特徴としている。
【００１６】
前記設定データは、請求項３に示すようにズーム、トリミング、色補正データ、コマ毎の切り替わりデータのうちの少なくとも１つを示すデータを含むことを特徴としている。
【００１７】
請求項４に示すように、前記フイルムには磁気記録層が形成され、前記磁気記録層に前記各コマ毎の設定データを磁気記録することを特徴としている。
【００１８】
請求項５に示すように、前記フイルムは単一のスプールを有するフイルムカートリッジに収納され、前記フイルムカートリッジから前記フイルムを巻取軸で巻き取るときに前記全コマの画像データとともに、前記全コマの磁気記録層に記録されたデータをそれぞれ読み取り、前記巻取軸に巻き取られたフイルムをカートリッジ本体内に巻き戻すときに、前記各コマ毎の設定データを前記磁気記録層に記録することを特徴としている。
【００１９】
請求項６に係るフイルム画像入力方法は、長尺の現像済みスチル写真フイルムの給送方向と直交する方向に光電変換素子が配列されたラインセンサを設け、前記フイルムを連続給送することにより該フイルム上から全コマのコマ番号を、前記フイルムの各コマに予め光学的に記録されているコマ番号を示すデータを読み取ることにより取り込むとともに、前記ラインセンサを介して全コマの画像データをそれぞれ取り込み、前記取り込んだ各コマのコマ番号及び各コマの画像データに基づいてコマ番号がスーパーインポーズされた複数コマのインデックス画像を示す画像信号を生成し、前記画像信号をモニタに出力することによってコマ番号がスーパーインポーズされた複数コマのインデックス画像をモニタに表示することを特徴としている。
【００２０】
請求項７に係るフイルム画像入力方法は、長尺の現像済みスチル写真フイルムの給送方向と直交する方向に光電変換素子が配列されたラインセンサを設け、前記フイルムを連続給送することにより該フイルム上から全コマのコマ番号を、前記フイルムの各コマをカウントすることにより取り込むとともに、前記ラインセンサを介して全コマの画像データをそれぞれ取り込み、前記取り込んだ各コマのコマ番号及び各コマの画像データに基づいてコマ番号がスーパーインポーズされた複数コマのインデックス画像を示す画像信号を生成し、前記画像信号をモニタに出力することによってコマ番号がスーパーインポーズされた複数コマのインデックス画像をモニタに表示することを特徴としている。
【００２１】
請求項８に係る発明は、長尺の現像済みスチル写真フイルムの画像をモニタに表示させるフイルム画像入力装置であって、前記フイルムを照明する照明手段と、前記フイルムの給送方向と直交する方向に光電変換素子が配列されたラインセンサと、前記照明手段によって照明された前記フイルムの画像を前記ラインセンサに結像させる撮影レンズと、前記フイルムの給送を行うフイルム給送手段と、前記ラインセンサを介して入力する画像データを記憶する画像メモリと、前記フイルムの各コマの画像の縦横比に対応するフォーマット、プリント枚数、及びタイトルのうちの少なくとも１つを含む設定を行うキー操作部と、前記キー操作部からの信号を入力するとともに前記ラインセンサ、フイルム給送手段及び画像メモリを制御する制御手段と、を備え、前記制御手段は、インデックス画像作成時に前記フイルムを連続給送して前記ラインセンサを介して全コマの画像データを前記画像メモリに記憶させ、該画像メモリに記憶された全コマの画像データを処理してインデックス画像を示す画像信号をモニタに出力させ、前記キー操作部は前記モニタに表示されたインデックス画像を見ながら操作されることを特徴としている。
【００２２】
請求項９に示すように、前記フイルムには磁気記録層が形成され、前記制御手段は、前記キー操作部によって設定された各コマ毎の設定データを前記磁気記録再生手段を介して前記磁気記録層に記録することを特徴としている。
【００２３】
請求項１０に示すように、前記フイルムの連続給送中に該フイルムの各コマのコマ番号を取り込むコマ番号検出手段を有し、前記制御手段は、前記取り込んだ各コマのコマ番号に基づいて前記複数コマのインデックス画像にコマ番号をスーパーインポーズさせるようにしたことを特徴としている。
【００２４】
前記コマ番号検出手段は、請求項１０に示すように前記フイルムの各コマに予め光学的又は磁気的に記録されているコマ番号を示すデータを読み取る読取手段であることを特徴としている。
【００２５】
本発明によれば、高価な２次元イメージセンサの代わりにラインセンサを使用し、現像済み写真フイルムを連続給送することにより前記ラインセンサを介して画像データを取り込むようにしている。ここで、予めフイルムを連続給送することにより取り込んだ全コマの画像データに基づいて複数コマのインデックス画像を作成し、そのインデックス画像を示す画像信号をモニタＴＶに出力することによりインデックス画像をモニタＴＶに表示できるようにしている。そして、このモニタＴＶに表示されたインデックス画像を見ながら各コマの表示方法を含む設定を行うとともに、その設定を示す設定データを記憶し、これによりコマ毎の編集作業をまとめて行うようにしている。その後、所望のコマの画像データに基づく１コマの再生時には、上記のようにして編集した当該コマの設定データを読み出し、その設定データに対応して画像処理した画像信号をモニタＴＶに出力するようにしている。
【００２６】
【発明の実施の形態】
以下、添付図面に従って本発明に係るフイルム画像入力方法及び装置の好ましい実施の形態について詳説する。
【００２７】
図１は本発明に係るフイルム画像入力装置を含むシステム全体の概略構成を示す斜視図である。同図に示すように、本発明に係るフイルム画像入力装置１００は直方体状に形成され、その前面にはフイルムカートリッジトレー１０２及び電源スイッチ１０４が設けられている。フイルムカートリッジトレー１０２は、フイルムカートリッジ１１０のローディング／アンローディング時に前後方向に進退駆動され、これよりフイルムカートリッジ１１０の収納または取出しが行われる。
【００２８】
フイルム画像入力装置１００にはキーパッド１２０及びモニタＴＶ１０９が接続され、キーパッド１２０からは信号ケーブル１０６を介してフイルム画像入力装置１００を制御するための各種の操作信号がフイルム画像入力装置１００に出力され、フイルム画像入力装置１００からは信号ケーブル１０８を介して映像信号がモニタＴＶ１０９に出力される。尚、キーパッド１２０によるフイルム画像入力装置１００の制御の詳細については後述する。また、キーパッド１２０から信号ケーブル１０６を介して操作信号を送出するようにしているが、これに限らず、キーパッド１２０及びフイルム画像入力装置１００にそれぞれ赤外リモコン送信器及び受信器を設け、キーパッド１２０からの操作信号を赤外リモコン信号としてフイルム画像入力装置１００に送信するようにしてもよい。
【００２９】
フイルムカートリッジ１１０は、図２に示すように単一のスプール１１２を有し、このスプール１１２に写真フイルム１１４が巻回されている。写真フイルム１１４には、各コマの位置を示すパーフォレーション１１４Ａが穿設されるとともに、フイルム全面又はフイルム縁部に磁気記録層１１４Ｂが形成されており、この磁気記録層１１４Ｂには、磁気ヘッドを有するカメラによってコマ毎の撮影データ等を示す磁気データが記録できるようになっている。また、現像処理された上記写真フイルム１１４はフイルムカートリッジ１１０に巻き取られ、これにより保管できるようになっている。
【００３０】
このフイルムカートリッジ１１０を使用するカメラは、カメラ内蔵の磁気ヘッドによって前記フイルム１１４の磁気記録層１１４Ｂに各種の磁気データをコマ毎に記録することができる。記録される磁気データとしては、例えば、コマ番号、ハイビジョン画像、パノラマ画像及び通常画像のいずれかを示すプリントフォーマット、撮影日／時刻、カメラでの撮影時のフイルム巻取方向を示すノーマルワインド／プリワインドを示すデータ等が考えられるが、その他、カメラによって多数種類のデータを記録することができる。また、前記写真フイルム１１４には、被写体光によって露光されるコマ領域以外にフイルムタイプ、コマ番号等を示すバーコードや、撮影時にカメラ内蔵の光源によってプリントフォーマット等を示すデータを光学的に記録することができる。
【００３１】
図３は上記フイルム画像入力装置１００の内部構成の一実施例を示すブロック図である。このフイルム画像入力装置１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、中央処理装置（ＣＰＵ）１６０、フイルム駆動メカ１７０、光学データ読取装置１８０、磁気記録再生装置１８２等を備えている。
【００３２】
光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられるが、このフイルム駆動の詳細については後述する。
【００３３】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じて量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００３４】
尚、ＣＣＤラインセンサ１４２は、フイルム給送方向と直交する方向に例えば１０２４画素分のセンサを有している。また、１コマのフイルム給送方向と同方向の画素数は、ＣＣＤ駆動回路１４４のリードゲートパルス等の周期を変更しない場合にはフイルム給送速度に応じて変化し、本実施例では標準のフイルム画像を取り込む時の給送速度の１／２倍、１倍、８倍、１６倍の各速度における画素数は、１７９２画素、８９６画素、１１２画素、５６画素である。
【００３５】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００３６】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行うもので、その詳細は後述する。
【００３７】
第２信号処理回路１５２はマトリクス回路を有し、入力するＲ，Ｇ，Ｂ信号に基づいて輝度信号Ｙ及びクロマ信号Ｃr/b を生成し、これらをメモリ制御回路１５４に出力する。
【００３８】
メモリ制御回路１５４は、上記輝度信号Ｙ及びクロマ信号Ｃr/b のＣＣＤバッファＭ１への書込み／読出しを制御するとともに、ＣＣＤバッファＭ１に記憶された輝度信号Ｙ及びクロマ信号Ｃr/b の表示バッファＭ２への書込み／読出しを制御する。尚、ＣＣＤバッファＭ１及び表示バッファＭ２への書込み／読出し制御の詳細については後述する。
【００３９】
メモリ制御回路１５４によって表示バッファＭ２から読み出される輝度信号Ｙ及びクロマ信号Ｃr/b は、第３信号処理回路１５３に加えられる。第３信号処理回路１５３は、入力する輝度信号Ｙ及びクロマ信号Ｃr/b に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５６及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００４０】
フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図３上で時計回り方向に駆動し、フイルム先端がフイルム巻取部によって巻き取られるまでフイルムカートリッジ１１０からフイルム１１４を送り出すようにしている。
【００４１】
光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００４２】
磁気記録再生装置１８２は磁気ヘッド１８２Ａを含み、磁気ヘッド１８２Ａを介してフイルム１１４の磁気記録層１１４Ｂに記録されている磁気データを読み取り、その磁気データを処理してＣＰＵ１６０に出力してＲＡＭ１６０Ａに記録し、また、ＣＰＵ１６０のＲＡＭ１６０Ａに記録されたデータを読み出し、これを磁気記録に適した信号に変換したのち磁気ヘッド１８２Ａに出力し、フイルム１１４の磁気記録層１１４Ｂに記録する。
【００４３】
次に、上記構成のフイルム画像入力装置１００の作用について、図４に示すフローチャートを参照しながら説明する。
【００４４】
先ず、フイルムカートリッジ１１０をフイルムカートリッジトレー１０２にセットすると、ＣＰＵ１６０はフイルム駆動メカ１７０を制御してフイルムローディングを実行する（ステップ２００）。即ち、フイルムカートリッジ１１０からフイルム１１４を送り出し、フイルム先端をフイルム巻取部の巻取軸に巻き付ける。
【００４５】
フイルムローディングが完了すると、フイルム１１４の第１のプリスキャンを実行する。即ち、図５に示すようにフイルム１１４を１４８．０ｍｍ／秒の高速で順方向（図４参照）に給送し、続いて１４８．０ｍｍ／秒の高速で逆方向に巻き戻す。上記順方向の第１のプリスキャン時には、ＣＣＤラインセンサ１４２を介して画像データが取り込まれるとともに、光学データ読取装置１８０及び磁気記録再生装置１８２を介して光学データ及び磁気データが読み取られる。
【００４６】
次に、上記第１のプリスキャン時に取り込んだ画像データに基づく処理について説明する。
【００４７】
ＣＰＵ１６０は、図３に示すＡ／Ｄコンバータ１５０から点順次のＲ，Ｇ，Ｂ信号を入力する。ＣＰＵ１６０は、全コマのＲ，Ｇ，Ｂ信号を各別に取り込み、色信号別のオフセット量、及び白バランスを調整するための色信号別のゲイン調整量を算出し、これらの色信号別のオフセット量を示すオフセットデータ及びゲイン調整量を示すＡＷＢデータをコマ毎にＣＰＵ内蔵のランダム・アクセス・メモリ（ＲＡＭ）１６０Ａに記憶する。また、各コマのＲ，Ｇ，Ｂ信号から各コマの明るさを示すＡＥデータをＲＡＭ１６０Ａに記憶する。尚、ＣＰＵ１６０は、光学データ読取装置１８０及び磁気記録再生装置１８２を介して加えられる光学データ及び／又は磁気データに基づいてフイルム１１４の各コマを検知することができ、また、各コマをカウントすることによりコマ番号も検知することができる。
【００４８】
次に、フイルム１１４の第２のプリスキャンを実行する。即ち、図５に示すようにフイルム１１４を７４・０ｍｍ／秒の高速で順方向に再び給送し、続いて１４８．０ｍｍ／秒の高速で逆方向に巻き戻す。上記順方向の第２のプリスキャン時には、再びＣＣＤラインセンサ１４２を介して画像データが取り込まれる。この画像データの取込み時には、ＣＰＵ１６０は、ＲＡＭ１６０Ａに記憶したＡＥデータに基づいて絞り制御装置１６４を介して各コマ毎に絞り１３４を制御する。尚、ＣＣＤラインセンサ１４２として、電子シャッタ機構を有するものを使用する場合には、ＣＣＤ駆動回路１４４を介してＣＣＤラインセンサ１４２における電荷蓄積時間を制御することにより、露光量を調整することができ、この場合には絞り１３４や絞り制御装置１６４は不要になる。
【００４９】
また、ＣＰＵ１６０は、第１信号処理回路１５１において、各コマ毎にＲ，Ｇ，Ｂ信号のオフセット量及び白バランスの調整を行わせる。即ち、ＣＰＵ１６０は、ＲＡＭ１６０Ａに記憶した各コマの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＲＡＭ１６０Ａに記憶した各コマの色信号毎のＡＷＢデータを第１信号処理回路１５１に出力し、第１信号処理回路１５１はこのＡＷＢデータに基づいて点順次のＲ，Ｇ，Ｂ信号のゲインを調整する。
【００５０】
上記ＡＷデータ、ＡＷＢデータ等に基づいて各コマの画像データを調整しているため、各コマの撮影条件にかかわらず、良好な画像データを取り込むことができる。
【００５１】
このようにして調整された各コマの画像データ、即ち、第２信号処理回路１５２から出力される輝度信号Ｙ及びクロマ信号Ｃr/b は、メモリ制御回路１５４を介してＣＣＤバッファＭ１に順次記憶される。尚、前述したように標準のフイルム画像を取り込む時の給送速度の８倍の速度でフイルム１１４が給送されるため、図７（Ａ）に示すように１コマのフイルム給送方向と同方向の画素数は、１１２画素である。また、ＣＣＤラインセンサ１４２は、前述したようにフイルム給送方向と直交する方向に１０２４画素分のセンサを有しているが、１／１６に間引くことにより１コマのフイルム給送方向と直交する方向の画素数は、６４画素である。そして、ＣＣＤバッファＭ１は、図７（Ａ）に示すように５１２×１０２４画素のデータを記憶する記憶容量を有しており、これにより５×４×２（＝４０）コマ分の画像データを記憶することができる。即ち、ＣＣＤバッファＭ１には、４０コマ分のインデックス画像を示す画像データが記憶されることになる。
【００５２】
表示バッファＭ２は、図７（Ｂ）に示すように５１２×１０２４画素のデータを記憶する記憶容量を有しているが、上記インデックス画像を示す画像データを記憶する場合には、１コマの画素が７３×１２８に拡大されて５×４（＝２０）コマ分の画像データを記憶する。そして、インデックス画像をモニタＴＶ１０９に表示させる場合には、表示バッファＭ２の左上の４８０×６４０画素分の領域が読み出される（図７（Ｂ）、（Ｃ）参照）。
【００５３】
さて、ＣＣＤバッファＭ１には、図７（Ａ）に示すように上記スキャン時における各コマの画像データの読取り順に、各コマの画像データが左上の記憶領域から右側に向かって順次記憶され、４コマ分記憶されると、１行下がった記憶領域から再び右側に向かって順次記憶される。そして、５行分（４×５＝２０コマ分）記憶れると、隣の２０コマ分の記憶領域に同様にして記憶される。
【００５４】
ＣＣＤバッファＭ１への上記記憶動作中にも、ＣＣＤバッファＭ１の記憶内容は表示バッファＭ２に転送され、その結果、ノーマルワインド式カメラ（通常のカメラ）で撮影されたフイルムカートリッジがセットされている場合には、図８（Ａ）に示すようにモニタＴＶ１０９には、左上から順次コマ画像が表示されることになる。
【００５５】
表示バッファＭ２には１度に２０コマ分の画像データしか記憶できないため、ＣＣＤバッファＭ１に２１コマ目の画像データが入力されると、インデックス画像を上方向にスクロールさせるように、表示バッファＭ２への画像データの書換え及び読み出しが行われる。例えば、ＣＣＤバッファＭ１に２１コマ目の画像データが入力されると、表示バッファＭ２のコマ番号１〜４の１行分の記憶領域の画像データがクリアされ、２１コマ目の画像データが書き込まれるとともに、映像信号出力時のスキャン開始アドレスを２行目に変更される。これにより、モニタＴＶ１０９では１行分だけ上方向にスクロールしたインデックス画像が表示されることになる。このようにして全コマの画像データがＣＣＤバッファＭ１に記憶されると、モニタＴＶ１０９には再びコマ番号１〜２０までのインデックス画像が表示されるように下方向にスクロール又は画面が切り替えられる。
【００５６】
ところで、ＣＰＵ１６０は、上記スキャン時における各コマの画像データの読取り順に各コマに対してコマ番号を１、２、…とし、各コマのコマ番号を示すキャラクター信号を出力することにより、図８に示すようにコマ番号がスーパーインポーズされたインデックス画像を表示させるようにしている。
【００５７】
一方、プリワインド式カメラで撮影されたフイルムカートリッジがセットされ、例えば全コマ数が４０コマの場合には、図８（Ｂ）に示すように画像データの読取り順にコマ番号４０、３９、…がスーパーインポーズされたコマ画像をモニタＴＶ１０９の画面右下から順次表示する。これにより、各コマの撮影順とコマ番号とを一致させることができる。
【００５８】
尚、上記のようにして各コマの撮影順とコマ番号とを常に一致させて表示させる場合は、少なくともプリワインド式カメラで撮影されたフイルムには、プリワインドを示すデータを光学的又は磁気的に記録する必要がある。
【００５９】
上記のようにしてインデックス画像の作成が行われ、インデックス画像がモニタＴＶ１０９に表示されると、続いてインデックス画像を見ながらキーパッド１２０を使用し、対話形式でモニタＴＶ１０９に１コマ表示するために必要な編集、その他の指定を行う（ステップ２０４）。
【００６０】
即ち、キーパッド１２０は、図１に示すように上下左右の各キー１２１〜１２４、「ＵＰ」キー１２５、「ＤＯＵＮ」キー１２６、「Ｅxecute」キー１２７、「Ｃancel 」キー１２８の８キーから構成されている。
【００６１】
さて、ＣＰＵ１６０は、図９に示すように２０コマ分のインデックス画像とともに各種の設定メニューを示す文字をモニタＴＶ１０９に表示させる。尚、「ＰＳＥＴ」はプリント枚数の設定を示し、「ＲＯＴＳ」はコマの縦横の設定を示し、「ＳＫＰＳ」は再生時における非表示コマの設定を示し、「ＶＩＥＷ」は１コマずつ再生することを示し、「ＰＬＡＹ」は各コマを一定のインターバルで連続的に再生することを示し、「ＥＮＶ」はインターバル時間や背景色等の環境設定を示し、「ＥＮＤ」はインデックス画像を用いた編集の終了を示す。
【００６２】
上記メニューの選択は、キーパッド１２０の「ＵＰ」，「ＤＯＵＮ」キー１２５、１２６を使用して実行したいメニューの位置にカーソル（他のメニューと色を変えて区別する）を移動させ、「Ｅxecute」キー１２７を押すことによって行われる。尚、メニューが選択されると、１コマ目が編集対象のコマとなり、１コマ目のコマ番号がカレント表示（そのコマ番号がブリンク表示）される。また、編集対象のコマの選択は、キーパッド１２０の上下左右のキー１２１〜１２４を操作することによって行うことができる。
【００６３】
いま、図９に示すように「ＳＫＰＳ」にカーソルを合わせて「Ｅxecute」キー１２７を押すと、スキップ設定メニューとなる。
【００６４】
このスキップ設定メニューにおいて、例えばコマ番号１のコマを非表示コマとして設定する場合には、編集対象のコマとしてコマ番号１のコマを選択し、「ＵＰ」キー１２５を押す。これにより、コマ番号１のコマ内には「ＳＫＩＰ」の文字が表示される。そして、「Ｅxecute」キー１２７を押すと、表示バッファＭ２のコマ番号１に対応する記憶領域はクリア色で塗りつぶされるとともに、非表示コマのコマ番号１を示すデータがＣＰＵ１６０のＲＡＭ１６０Ａに記憶される。尚、ＣＣＤバッファＭ１上では画像データはそのままの状態になっているため、「ＤＯＷＮ」キー１２６を押し、コマ番号１のコマ内に「ＶＩＥＷ」の文字を表示したのち、「Ｅxecute」キー１２７を押すと、表示バッファＭ２のコマ番号１に対応する記憶領域にはコマ番号１に対応する画像データがＣＣＤバッファＭ１から転送され、これによりコマ表示が行われるとともに、ＲＡＭ１６０Ａに記憶された非表示コマのコマ番号１を示すデータがクリアされる。このようにして、表示／非表示コマの設定が行われる。尚、「Ｃancel 」キー１２８によって設定内容をキャンセルすることもできる。
【００６５】
次に、コマの縦横を切り替える場合について説明する。
【００６６】
この場合には、図１０に示すように「ＲＯＴＳ」にカーソルを合わせて「Ｅxecute」キー１２７を押し、縦横設定メニューにする。
【００６７】
縦横設定メニューが選択されると、図１０に示すように編集対象のコマのコマ番号がブリンク表示されるとともに、そのコマの画像中に天地方向を示す矢印↑が表示される。この状態から「ＵＰ」キー１２５を押すと、ワンプッシュする毎に矢印の方向が９０度ずつ時計回り方向に回転し、「ＤＯＷＮ」キー１２６を押すと、ワンプッシュする毎に矢印の方向が９０度ずつ反時計回り方向に回転する。このようにして、矢印によって天地方向を選択したのち、「Ｅxecute」キー１２７を押すと、表示バッファＭ２の対象コマの記憶領域の画像データは、前記選択された天地方向に応じて回転させられる。尚、図７に示したように１コマの縦と横の画素数が異なるため、横から縦に回転させる場合には画像を縮小し、縦から横に回転させる場合には画像を拡大する。
【００６８】
次に、各コマのプリント枚数を設定する場合について説明する。
【００６９】
この場合には、図１１に示すように「ＰＳＥＴ」にカーソルを合わせて「Ｅxecute」キー１２７を押し、プリント枚数設定メニューにする。
【００７０】
プリント枚数設定メニューが選択されると、図１１に示すように編集対象のコマのコマ番号がブリンク表示されるとともに、そのコマの画像中にプリント枚数が表示される。このプリント枚数は、そのコマの画像中に予め０が表示されるようになっており、この状態から「ＵＰ」キー１２５を押すと、ワンプッシュする毎に数字が１ずつ増加し、「ＤＯＷＮ」キー１２６を押すと、ワンプッシュする毎に数字が１ずつ減少する。このようにして、プリント枚数を選択したのち、「Ｅxecute」キー１２７を押すと、その表示されたプリント枚数が設定され、ＣＰＵ１６０のＲＡＭ１６０Ａに格納される。
【００７１】
また、画像の縦横比に対応するハイビジョン、パノラマ、通常等のプリントフォーマット指定も各コマ毎に行うことができる。この場合、フォーマット指定に応じてインデックス画像のコマの縦横比を変更すれば、いずれのフォーマットが指定されたかをインデックス画像上で視認することができる。
【００７２】
更に、あるコマから次のコマに表示を切り替える場合のコマ切替方法も指定することができる。例えば、あるコマから次のコマに表示を切り替える場合に、表示画面を瞬時に切り替えるコマ切替方法の他に、画面をスクロールさせて切り替えるコマ切替方法、フェードアウト／フェードインで切り替えるコマ切替方法等の指定をインデックス画像を見ながら行うことができる。
【００７３】
上記のようにしてインデックス画像を見ながら編集を行ったのち、「ＥＮＤ」にカーソルを合わせて「Ｅxecute」キー１２７を押すと、インデックス画像を用いた編集が終了する。
【００７４】
インデックス画像による編集が終了すると、続いてステップ２０６（図４）において各コマ毎の編集を行うか否かが選択される。この選択もモニタＴＶ１０９の画面を見ながらキーパッド１２０を操作することによって行うことができる。
【００７５】
次に、各コマ毎の編集を行う場合について説明する。
【００７６】
この場合には、先ず表示コマ番号を１にセットし（ステップ２０８）、続いて図５に示すようにフイルム１１４を９．２５ｍｍ／秒で順方向に１コマ分給送して、コマ番号１のコマのスキャン（本スキャン）を行う（ステップ２１０）。この本スキャン時にＣＣＤラインセンサ１４２を介して画像データがＣＣＤバッファＭ１に取り込まれる。
【００７７】
この画像データの取込み時には、ＣＰＵ１６０は、ＲＡＭ１６０Ａに記憶したＡＥデータ、ＡＷＢデータ等に基づいて各コマの画像データを調整しているため、各コマの撮影条件にかかわらず、良好な画像データを取り込むことができる。また、このようにしてＣＣＤバッファＭ１に取り込まれる１コマ分の画素数は、図７（Ｄ）に示すように５１２×８９６画素である。即ち、１０２４画素分のセンサを有するＣＣＤラインセンサ１４２のＣＣＤ出力を、本スキャン時には１／２に間引き、これにより１コマのフイルム給送方向と直交する方向の画素数を５１２とし、また、フイルム給送速度をインデックス画像の画像データの取込み時に比べて１／８にすることにより、インデックス画像の１コマのフイルム給送方向と同方向の画素数（１１２画素）の８倍の８９６画素としている。
【００７８】
上記のようにしてＣＣＤバッファＭ１に取り込まれた１コマ分の画像データは、表示バッファＭ２に転送され、この表示バッファＭ２の記憶内容が繰り返し読み出されことによりモニタＴＶ１０９に１コマの画像が表示される。尚、１コマ再生メニュー設定モード時には、図１２に示すようにコマ番号がモニタＴＶ１０９の画面左上に表示され、１コマの編集に必要な設定メニュー等を示す文字がモニタＴＶ１０９の画面右側に表示される。尚、「ＦＷＤ」は次のコマ再生を示し、「ＲＥＶ」は前のコマ再生を示し、「ＲＳＴ」は各種設定をリセットし、再スキャンを行うこと示し、「ＺＯＯＭ」はズーム設定を示し、「ＭＡＳＫ」はマスク設定を示し、「ＲＯＴ」はコマの縦横の設定を示し、「ＳＥＴ」はプリント枚数等の設定を示し、「ＩＤＸ」は前述したインデックス画像の表示を示し、「ＥＮＶ」はインターバル時間や背景色等の環境設定を示し、「ＥＮＤ」は１コマの画像を用いた編集の終了を示す。
【００７９】
上記メニューの選択は、前述したインデックス画像を用いた編集時と同様にキーパッド１２０の「ＵＰ」，「ＤＯＵＮ」キー１２５、１２６を使用して実行したいメニューの位置にカーソルを移動させ、「Ｅxecute」キー１２７を押すことによって行われる。
【００８０】
いま、「ＺＯＯＭ」にカーソルを合わせて「Ｅxecute」キー１２７を押すと、ズーム設定メニューとなる（ステップ２１２）。このズーム設定メニューにおいて、キーパッド１２０の上下左右のキー１２１〜１２４を操作することによりポインタを適宜移動させ、ズーム中心を指示する。そして、「ＵＰ」キー１２５又は「ＤＯＷＮ」キー１２６を押すことにより、電子ズームによるズームアップ又はズームアウトを行う。このようにして所望のズーミングを行ったのち、「Ｅxecute」キー１２７を押すと、ズーム設定が確定し、ＣＰＵ１６０のＲＡＭ１６０Ａに記憶される（ステップ２１４）。尚、フイルム画像入力装置１００と接続されるビデオプリンタ（図示せず）でプリントする場合には、プリンタ側からのプリント指示によって行われる（ステップ２１６）。
【００８１】
また、上記電子ズームでは、例えば０．５〜１．５倍の範囲のズーミングができるものとする。そして、電子ズームによる倍率が１．５となり、更に「ＵＰ」キー１２５によるズームアップが指示されると、低速の本スキャンを行う。この場合、フイルム１１４を４．６３ｍｍ／秒（通常の本スキャンの速度の１／２）で順方向に給送するとともに、ＣＣＤラインセンサ１４２のＣＣＤ出力を間引かずに、前記指定されたズーム中心を基準にして取り込む。これにより、通常の本スキャン時に比べて２倍にズーミングされた画像データが取り込まれるとになる。この画像データに対して、電子ズームをかけることにより、最大３倍までズーミングすることができるようになる。
【００８２】
更に、キーパッド１２０を用いながら、コマ画像に重ねて表示するタイトルを入力することができ（ステップ２１８、２２０）、そのタイトルを示す文字データはＣＰＵ１６０のＲＡＭ１６０Ａに格納され、また、「ＭＡＳＫ」にカーソルを合わせて「Ｅxecute」キー１２７を押すことにより、枠付け設定メニューにすることができ、キーパッド１２０を用いながら表示コマの周囲に設ける枠の大きさや位置を入力することができる（ステップ２２４、２２６）。尚、これらの入力確定後、ステップ２１６と同様にビデオプリンタによるプリントが可能となる（ステップ２２２、２２８）。
【００８３】
次に、表示コマのプリント枚数等を設定する場合について説明する。
【００８４】
この場合には、「ＳＥＴ」にカーソルを合わせて「Ｅxecute」キー１２７を押し、プリント枚数設定メニューにする（ステップ２３０、２３２）。
【００８５】
即ち、プリント枚数設定メニューが選択されると、図１３に示すようにそのコマの画像の左上に「ＳＥＴ」が表示されるとともに、３つの対象項目「ＰＲＩＮＴ  ０」，「ＤＡＴＥ  ＯＮ」，「ＰＬＡＹ  ＶＩＥＷ」が表示される。これらの対象項目は、上・下キー１２１、１２２を操作することにより選択され、選択された対象項目はブリンク表示される。「ＰＲＩＮＴ  ０」を選択すると、「ＵＰ」キー１２５、「ＤＯＵＮ」キー１２６によってプリント枚数を指定することができ、「ＤＡＴＥ  ＯＮ」を選択すると、「ＵＰ」キー１２５、「ＤＯＵＮ」キー１２６によって撮影日時をプリントするか否か（ＯＮ／ＯＦＦ）を指定することができ、「ＰＬＡＹ  ＶＩＥＷ」を選択すると、「ＵＰ」キー１２５、「ＤＯＵＮ」キー１２６によってコマの表示／非表示（ＶＩＥＷ／ＳＫＩＰ）を指定することができる。このようにしてプリント枚数等を指定したのち、「Ｅxecute」キー１２７を押すと、その表示されたプリント枚数等が設定され、ＣＰＵ１６０のＲＡＭ１６０Ａに格納される。尚、インデックス画像で設定したプリント枚数と、１コマ設定メニューで設定したプリント枚数とが異なる場合には、例えば１コマ設定メニューで設定したプリント枚数が優先される。
【００８６】
次に、表示コマのインターバル時間等を設定する場合について説明する。
【００８７】
この場合には、「ＥＮＶ」にカーソルを合わせて「Ｅxecute」キー１２７を押し、環境設定メニューにする。
【００８８】
環境設定メニューが選択されると、画像はミュートとされ、図１４に示すように「ＩＮＴＥＲＶＡＬ  ＴＩＭＥ：１０」，「ＢＡＣＫ  ＣＯＬＯＲ：ＢＬＡＣＫ」の文字のみが表示される。これらの対象項目は、上・下キー１２１、１２２を操作することにより選択され、選択された対象項目はブリンク表示される。「ＩＮＴＥＲＶＡＬ  ＴＩＭＥ：１０」を選択すると、「ＵＰ」キー１２５、「ＤＯＵＮ」キー１２６によって１コマずつ連続的に表示する際の表示時間を指定することができ、「ＢＡＣＫ  ＣＯＬＯＲ：ＢＬＡＣＫ」を選択すると、「ＵＰ」キー１２５、「ＤＯＵＮ」キー１２６によって表示コマの背景色を８色の中から指定することができる。このようにしてインターバル時間等を指定したのち、「Ｅxecute」キー１２７を押すと、その表示されたインターバル時間等が設定され、ＣＰＵ１６０のＲＡＭ１６０Ａに格納される。
【００８９】
上記のようにして表示コマの編集を行たのち、「ＥＮＤ」にカーソルを合わせて「Ｅxecute」キー１２７を押すと、表示コマの編集が終了し（ステップ２３４）、一方、「ＦＷＤ」又は「ＲＥＶ」にカーソルを合わせて「Ｅxecute」キー１２７を押すと、コマ番号を１だけ増加又は減少し（ステップ２３６）、ステップ２１０に戻る。これにより上記と同様にして別の表示コマの編集を実行することができる。
【００９０】
さて、表示コマの編集が終了すると（ステップ２３４）、図５に示すようにフイルム１１４を１４８．０ｍｍ／秒の高速で順方向に給送し、この給送中に予めフイルム１１４の磁気記録層１１４Ｂから読み取られてＣＰＵ１６０のＲＡＭ１６０Ａに記憶された磁気データ、前記インデックス画像を用いた編集の内容を示すデータ、表示コマを用いた編集の内容を示すデータ等がフイルム１１４の磁気記録層１１４Ｂに再び記録される（ステップ２３８）。続いて１４８．０ｍｍ／秒の高速で逆方向に巻き戻され、フイルムカートリッジ１１０が取り出される（ステップ２４０）。
【００９１】
一方、ステップ２０６において、表示コマを用いた編集を実行しない場合には、ステップ２４４、２４４に進み、上記ステップ２３８、２４０と同様にフイルム１１４の磁気記録層１１４Ｂへの書き込み、及びフイルムカートリッジ１１０の取出しが行われる。
【００９２】
尚、図４のフローチャートでは示していないが、上記のようにして編集した編集内容に応じてフイルムの各コマを１コマずつ又は所定のインターバルで連続的にモニタＴＶ１０９に再生してフイルム画像を楽しむことができる。また、一旦編集が行われたフイルムカートリッジ１１０をローディングした場合には、その編集内容に応じてモニタＴＶ１０９に再生することができる。但し、この場合には、少なくとも１コマ再生に先立ってフイルムから磁気データ、ＡＥデータ、ＡＷＢデータ等を読み取る必要がある。更に、ノーマルワインド式カメラで撮影されたフイルムかプリワインド式カメラで撮影されたフイルムかに応じて１コマ再生時のフイルムの搬送シーケンスを変更するようにすれば、常に撮影順に再生することができる。
【００９３】
ところで、磁気データ及び光学データの記録が可能なフイルムの場合、同一種類の処理に対して磁気データと光学データの双方で記録されることが考えられる。撮影時に光学的に記録した光学データは書き換えることができないが、磁気データは編集時に書換えが可能であり、その結果、光学データの内容と磁気データの内容とが異なる場合が発生する。例えば、撮影時にカメラでハイビジョンのフォーマットを示すデータを光学的に記録し、その後、編集時にパノラマのフォーマットを示すデータをフイルムの磁気記録層に書き込む場合が考えられる。
【００９４】
そこで、ＣＰＵ１６０は、光学データ読取装置１８０及び磁気記録再生装置１８２によってそれぞれ読み取られた光学データ及び磁気データを入力し、フイルムの同一コマに対して記録されたデータ同士を比較する。そして、その比較結果に基づいて同一種類の処理に対して異なる内容を示すデータが記録されていることが検出されると、磁気データの内容に基づく処理を実行する。尚、光学データのみが記録されている場合、或いは磁気データにエラーが発生している場合には、光学データに基づいて処理を行う。また、磁気データにエラーが発見された場合には、光学データに基づいて磁気データを修正することもできる。
【００９５】
また、本実施例では、各コマ毎に撮影時の明るさや白バランス等の撮影条件を検知するようにしたが、これに限らず、フイルムの磁気記録層から読み取った磁気データに基づいて撮影日時が略同一のコマが複数あることは検知されると、これらのコマの撮影条件を最初のコマについて検知した撮影条件と一致させるようにしてもよい。尚、撮影日時が略同一とは、撮影日が同一で、かつ同一シーンや同一の撮影状況下で撮影していると判定できる程度に各コマの撮影時刻が近い場合をいう。
【００９６】
更に、本実施例では、図５に示すようにフイルムを順方向に送るときのみ、磁気データの読取り／書込み、画像データの読取りを行うようにしているが、これに限らず、図６に示すようにフイルムを逆方向に送るときに、インデックス画像の画像データの読込み、磁気データの書込み等を行うようにしてもよく、これによれば、フイルムローディングから各コマの編集等が終了してフイルムを取り出すまでの時間の短縮化を図ることができる。尚、この場合には、磁気データの読取り時と書込み時のフイルムの給送方向が逆になるため、書込み時の磁気データの送出順序を逆にする必要がある。
【００９７】
更にまた、本実施例では、プリワインド式カメラで撮影されたフイルムのインデックス画像の画像データの処理を図８（Ｂ）に示すようにしたが、これに限らず、フイルムの搬送シーケンスを変更し、例えば図５に示す巻戻し時（フイルムを逆方向に送る時）に画像データ等の読取りを行うようにしてもよい。
【００９８】
次に、フイルムに記録されたコマの天地方向を自動判別する方法について説明する。
【００９９】
前述したようにプリスキャン時には、ＣＰＵ１６０は、Ａ／Ｄコンバータ１５０から点順次のＲ，Ｇ，Ｂ信号を入力し、これらの信号を処理して各コマのＡＥデータ等を検知しているが、上記Ｒ，Ｇ，Ｂ信号に基づいて図１５に示すように１コマを９つの領域に区分し、各領域毎の明るさを示すデータＥ11〜Ｅ33を検知し、図１６に示す処理を行うことにより各コマの天地方向を自動判別する。
【０１００】
即ち、図１６に示すように各コマの上記データＥ11〜Ｅ33を読み込み（ステップ３００）、図１５に示すように周囲４辺の明るさを示すデータＸ1,Ｘ3,Ｙ1,Ｙ3 を、次式によって求める（ステップ３０２）。
【０１０１】
Ｘ1 ＝Ｅ11＋Ｅ12＋Ｅ13
Ｘ3 ＝Ｅ31＋Ｅ32＋Ｅ33
Ｙ1 ＝Ｅ11＋Ｅ21＋Ｅ31
Ｙ3 ＝Ｅ13＋Ｅ23＋Ｅ33
続いて、ステップ３０４からステップ３１６において、４つのデータＸ1,Ｘ3,Ｙ1,Ｙ3 をそれぞれ比較し、これにより周囲４辺のうちいずれの辺が最も明るいかを判別する。そして、最も明るい辺は空や照明が近いと判断し、その辺のある方向に画像が正立していると判断する。即ち、図５に示すように天地方向を示す矢印Ａ，Ｂ，Ｃ，Ｄのうち、データＹ1 に対応する辺が最も明るい場合には、矢印Ａ方向に画像が正立していると判断し、同様にしてデータＹ3 に対応する辺が最も明るい場合には、矢印Ｂ方向に画像が正立していると判断し、データＸ1 に対応する辺が最も明るい場合には、矢印Ｃ方向に画像が正立していると判断し、データＸ3 に対応する辺が最も明るい場合には、矢印Ｄ方向に画像が正立していると判断する。
【０１０２】
このようにしてプリスキャン時に得られる各コマの画像データから各コマの天地方向を自動的に判別することができる。ＣＰＵ１６０はこのようにして判別した天地方向を示すデータをＲＡＭ１６０Ａに記憶するとともに、各コマの天地方向に応じてインデックス画像の各コマを回転させることができる。
【０１０３】
尚、上記のようにして自動的に判別した各コマの天地方向は正しいとは限らないため、誤って天地方向が判別されたコマについては、前述したようにキーパッド１２０を用いて修正することもできる。また、１つのフイルムカートリッジのフイルム内において、図１５に示す矢印Ａ方向に画像が正立しているコマと、矢印Ｂ方向に画像が正立しているコマとが混在している場合は考えにくいため、このような場合にはいずれか多い方に統一するようにしてもよい。
【０１０４】
【発明の効果】
以上説明したように本発明に係るフイルム画像入力方法及び装置によれば、イメージセンサとしてラインセンサを使用することによりコストの低減を図ることができるとともに、１本のフイルムの全コマの画像データを迅速に取り込むことができ、これによりインデックス画像を短時間で作成することができ、そのインデックス画像を見ながら一連の画像に対する編集作業を容易に行うことができる。尚、インデックス画像は鑑賞用の画像でないため、画質は問題とされず、迅速に取り込んだ粗い画像データでも十分に作成することができる。
【図面の簡単な説明】
【図１】図１は本発明に係るフイルム画像入力装置を含むシステム全体の概略構成を示す斜視図である。
【図２】図２は図１に示したフイルム画像入力装置に適用されるフイルムカートリッジの一例を示す図である。
【図３】図３は図１に示したフイルム画像入力装置の内部構成の一実施例を示すブロック図である。
【図４】図４は図１に示したフイルム画像入力装置の作用を説明するために用いたフローチャートである。
【図５】図５は図１に示したフイルム画像入力装置において搬送されるフイルムの搬送シーケンスの一例を示す図である。
【図６】図６は図１に示したフイルム画像入力装置において搬送されるフイルムの搬送シーケンスの他の例を示す図である。
【図７】図７（Ａ）乃至（Ｄ）は図１に示したフイルム画像入力装置におけるＣＣＤバッファ、表示バッファにおける記憶領域及びモニタＴＶの表示画面を示す図である。
【図８】図８（Ａ）及び（Ｂ）はノーマルワインド式カメラとプリワインド式カメラで撮影されたフイルムのインデックス画像の処理を説明するために用いた図である。
【図９】図９はインデックス画像を用いたスキップ設定を説明するために用いた図である。
【図１０】図１０はインデックス画像を用いたコマの縦横設定を説明するために用いた図である。
【図１１】図１１はインデックス画像を用いた各コマのプリント枚数の設定を説明するために用いた図である。
【図１２】図１２は１コマ再生メニュー設定モード時のモニタ画面の一例を示す図である。
【図１３】図１３は表示コマのプリント枚数等の設定を説明するために用いた図である。
【図１４】図１４は表示コマの環境設定を説明するために用いた図である。
【図１５】図１５は１コマを９つの領域と各領域毎の明るさを示すデータ及び天地方向記号を示す図である。
【図１６】図１６は各コマの天地方向を自動判別する処理を説明するために用いたフローチャートである。
【符号の説明】
１００…フイルム画像入力装置、１０２…フイルムカートリッジトレー、１０９…モニタＴＶ、１１０…フイルムカートリッジ、１１４…写真フイルム、１１４Ａ…パーフォレーション、１１４Ｂ…磁気記録層、１２０…キーパッド、１３０…光源、１３４…絞り、１３５…撮影レンズ、１４０…ＣＣＤ回路ユニット、１４２…ＣＣＤラインセンサ、１５０…Ａ／Ｄコンバータ、１５１…第１信号処理回路、１５２…第２信号処理回路、１５３…第３信号処理回路、１５４…メモリ制御回路、１５６…Ｄ／Ａコンバータ、１５８…ビデオ出力端子、１６０…中央処理装置（ＣＰＵ）、１６０Ａ…ＲＡＭ、１６４…絞り制御回路、１７０…フイルム駆動メカ、１８０…光学データ読取装置、１８２…磁気記録再生装置、Ｍ１…ＣＣＤバッファ、Ｍ２…表示バッファ
【図１】
0003958660.tif 000002
【図２】
0003958660.tif 000003
【図３】
0003958660.tif 000004
【図４】
0003958660.tif 000005
【図５】
0003958660.tif 000006
【図６】
0003958660.tif 000007
【図７】
0003958660.tif 000008
【図８】
0003958660.tif 000009
【図９】
0003958660.tif 000010
【図１０】
0003958660.tif 000011
【図１１】
0003958660.tif 000012
【図１２】
0003958660.tif 000013
【図１３】
0003958660.tif 000014
【図１４】
0003958660.tif 000015
【図１５】
0003958660.tif 000016
【図１６】
0003958660.tif 000017